【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
アップリンク信号を送信する方法であって、前記アップリンク信号は、転送ブロックのデータおよび制御情報の両方を含み、前記方法は、
チャネル符号化された制御情報を生成するために、前記制御情報の符号化されたシンボルの数に基づいて前記制御情報をチャネル符号化することを含み、
前記制御情報の符号化されたシンボルの数は、以下の式
【数１】
2011526094.tif 000001
を用いて決定され、ここで、
Ｑ’は、前記制御情報の前記符号化されたシンボルの数であり、
Ｏは、前記制御情報のペイロードサイズであり、
【数２】
2011526094.tif 000002
は、同一の転送ブロックに対する初期物理アップリンク共有チャネル（ＰＵＳＣＨ）送信のためのサブフレーム毎のＳＣ−ＦＤＭＡシンボルの数であり、
【数３】
2011526094.tif 000003
は、同一の転送ブロックに対する前記初期ＰＵＳＣＨ送信のためのスケジューリングされた帯域幅であり、
【数４】
2011526094.tif 000004
はオフセット値であり、
ｒは、同一の転送ブロックに対するコードブロック番号であり、Ｋｒは、コードブロック番号ｒ内のビットの数であり、Ｃは、コードブロックの総数であり、
前記制御情報は、チャネル品質制御情報、ランク指標、およびａｃｋｎｏｗｌｅｄｇｅｍｅｎｔ（ＡＣＫ）／ｎｅｇａｔｉｖｅ  ａｃｋｎｏｗｌｅｄｇｅｍｅｎｔ（ＮＡＣＫ）情報のうちの１つである、方法。
【請求項２】
チャネル符号化されたデータを生成するために前記アップリンク信号のデータをチャネル符号化することと、
前記アップリンク信号を生成するために前記チャネル符号化された制御情報および前記チャネル符号化されたデータをチャネルインターリーブすることと、
前記アップリンク信号を送信することと
をさらに含む、請求項１に記載の方法。
【請求項３】
前記チャネル品質制御情報は、チャネル品質情報（ＣＱＩ）およびプリコーディングマトリクスインジケータ（ＰＭＩ）のうちの少なくとも１つを含む、請求項１に記載の方法。
【請求項４】
前記チャネル品質制御情報のペイロードサイズは、前記チャネル品質制御情報に加えられたＣｙｃｌｉｃ  Ｒｅｄｕｎｄａｎｃｙ  Ｃｈｅｃｋ（ＣＲＣ）のサイズを含む、請求項１に記載の方法。
【請求項５】
同一の転送ブロックに対するパラメータと、同一の転送ブロックに対する初期ＰＵＳＣＨ送信のためのリソースとをメモリまたはキャッシュから取り出すことをさらに含む、請求項１に記載の方法。
【請求項６】
前記アップリンク信号は、同一の転送ブロックに対する非初期ＰＵＳＣＨ送信を含む、請求項１に記載の方法。
【請求項７】
受信されたアップリンク信号を処理する方法であって、前記アップリンク信号は、転送ブロックのデータおよび制御情報の両方を含み、前記方法は、
前記制御情報を生成するために、前記制御情報の符号化されたシンボルの数に基づいて、前記アップリンク信号のチャネル符号化された制御情報をチャネル復号化することを含み、
前記制御情報の符号化されたシンボルの数は、以下の式
【数５】
2011526094.tif 000005
を用いて決定され、ここで、
Ｑ’は、前記制御情報の前記符号化されたシンボルの数であり、
Ｏは、前記制御情報のペイロードサイズであり、
【数６】
2011526094.tif 000006
は、同一の転送ブロックに対する初期物理アップリンク共有チャネル（ＰＵＳＣＨ）送信のためのサブフレーム毎のＳＣ−ＦＤＭＡシンボルの数であり、
【数７】
2011526094.tif 000007
は、同一の転送ブロックに対する前記初期ＰＵＳＣＨ送信のためのスケジューリングされた帯域幅であり、
【数８】
2011526094.tif 000008
はオフセット値であり、
ｒは、同一の転送ブロックに対するコードブロック番号であり、Ｋｒは、コードブロック番号ｒ内のビットの数であり、Ｃは、コードブロックの総数であり、
前記制御情報は、チャネル品質制御情報、ランク指標、およびａｃｋｎｏｗｌｅｄｇｅｍｅｎｔ（ＡＣＫ）／ｎｅｇａｔｉｖｅ  ａｃｋｎｏｗｌｅｄｇｅｍｅｎｔ（ＮＡＣＫ）情報のうちの１つである、方法。
【請求項８】
前記アップリンク信号を受信することと、
前記チャネル符号化された制御情報およびチャネル符号化されたデータを生成するために前記アップリンク信号をチャネルデインターリーブすることと、
前記データを生成するために前記チャネル符号化されたデータをチャネル復号化することと
をさらに含む、請求項７に記載の方法。
【請求項９】
前記チャネル品質制御情報は、チャネル品質情報（ＣＱＩ）およびプリコーディングマトリクスインジケータ（ＰＭＩ）のうちの少なくとも１つを含む、請求項７に記載の方法。
【請求項１０】
前記チャネル品質制御情報のペイロードサイズは、前記チャネル品質制御情報に加えられたＣｙｃｌｉｃ  Ｒｅｄｕｎｄａｎｃｙ  Ｃｈｅｃｋ（ＣＲＣ）のサイズを含む、請求項７に記載の方法。
【請求項１１】
同一の転送ブロックに対するパラメータと、同一の転送ブロックに対する初期ＰＵＳＣＨ送信のためのリソースとをメモリまたはキャッシュから取り出すことをさらに含む、請求項７に記載の方法。
【請求項１２】
前記アップリンク信号は、同一の転送ブロックに対する非初期ＰＵＳＣＨ送信を含む、請求項７に記載の方法。
【請求項１３】
アップリンク信号を送信するように構成された装置であって、前記アップリンク信号は、転送ブロックのデータおよび制御情報の両方を含み、前記装置は、
ＲＦユニットと、
メモリと、
前記ＲＦユニットと前記メモリとに動作可能に接続されたプロセッサと
を含み、前記プロセッサは、チャネル符号化された制御情報を生成するために、前記制御情報の符号化されたシンボルの数に基づいて前記制御情報をチャネル符号化するように構成され、
前記制御情報の符号化されたシンボルの数は、以下の式
【数９】
2011526094.tif 000009
を用いて決定され、ここで、
Ｑ’は、前記制御情報の前記符号化されたシンボルの数であり、
Ｏは、前記制御情報のペイロードサイズであり、
【数１０】
2011526094.tif 000010
は、同一の転送ブロックに対する初期物理アップリンク共有チャネル（ＰＵＳＣＨ）送信のためのサブフレーム毎のＳＣ−ＦＤＭＡシンボルの数であり、
【数１１】
2011526094.tif 000011
は、同一の転送ブロックに対する前記初期ＰＵＳＣＨ送信のためのスケジューリングされた帯域幅であり、
【数１２】
2011526094.tif 000012
はオフセット値であり、
ｒは、同一の転送ブロックに対するコードブロック番号であり、Ｋｒは、コードブロック番号ｒ内のビットの数であり、Ｃは、コードブロックの総数であり、
前記制御情報は、チャネル品質制御情報、ランク指標、およびａｃｋｎｏｗｌｅｄｇｅｍｅｎｔ（ＡＣＫ）／ｎｅｇａｔｉｖｅ  ａｃｋｎｏｗｌｅｄｇｅｍｅｎｔ（ＮＡＣＫ）情報のうちの１つである、装置。
【請求項１４】
前記プロセッサは、
チャネル符号化されたデータを生成するために前記アップリンク信号のデータをチャネル符号化することと、
前記アップリンク信号を生成するために前記チャネル符号化された制御情報および前記チャネル符号化されたデータをチャネルインターリーブすることと、
前記アップリンク信号を送信することと
を行うようにさらに構成される、請求項１３に記載の装置。
【請求項１５】
前記チャネル品質制御情報は、チャネル品質情報（ＣＱＩ）およびプリコーディングマトリクスインジケータ（ＰＭＩ）のうちの少なくとも１つを含む、請求項１３に記載の装置。
【請求項１６】
前記チャネル品質制御情報のペイロードサイズは、前記チャネル品質制御情報に加えられたＣｙｃｌｉｃ  Ｒｅｄｕｎｄａｎｃｙ  Ｃｈｅｃｋ（ＣＲＣ）のサイズを含む、請求項１３に記載の装置。
【請求項１７】
前記プロセッサは、
同一の転送ブロックに対するパラメータと、同一の転送ブロックに対する初期ＰＵＳＣＨ送信のためのリソースとをメモリまたはキャッシュから取り出すようにさらに構成される、請求項１３に記載の装置。
【請求項１８】
前記アップリンク信号は、同一の転送ブロックに対する非初期ＰＵＳＣＨ送信を含む、請求項１３に記載の装置。
【請求項１９】
受信されたアップリンク信号を処理するように構成された装置であって、前記アップリンク信号は、転送ブロックのデータおよび制御情報の両方を含み、前記装置は、
ＲＦユニットと、
メモリと、
前記ＲＦユニットと前記メモリとに動作可能に接続されたプロセッサと
を含み、前記プロセッサは、
前記制御情報を生成するために、前記制御情報の符号化されたシンボルの数に基づいて、前記アップリンク信号のチャネル符号化された制御情報をチャネル復号化するように構成され、
前記制御情報の符号化されたシンボルの数は、以下の式
【数１３】
2011526094.tif 000013
を用いて決定され、ここで、
Ｑ’は、前記制御情報の前記符号化されたシンボルの数であり、
Ｏは、前記制御情報のペイロードサイズであり、
【数１４】
2011526094.tif 000014
は、同一の転送ブロックに対する初期物理アップリンク共有チャネル（ＰＵＳＣＨ）送信のためのサブフレーム毎のＳＣ−ＦＤＭＡシンボルの数であり、
【数１５】
2011526094.tif 000015
は、同一の転送ブロックに対する前記初期ＰＵＳＣＨ送信のためのスケジューリングされた帯域幅であり、
【数１６】
2011526094.tif 000016
はオフセット値であり、
ｒは、同一の転送ブロックに対するコードブロック番号であり、Ｋｒは、コードブロック番号ｒ内のビットの数であり、Ｃは、コードブロックの総数であり、
前記制御情報は、チャネル品質制御情報、ランク指標、およびａｃｋｎｏｗｌｅｄｇｅｍｅｎｔ（ＡＣＫ）／ｎｅｇａｔｉｖｅ  ａｃｋｎｏｗｌｅｄｇｅｍｅｎｔ（ＮＡＣＫ）情報のうちの１つである、装置。
【請求項２０】
前記プロセッサは、
前記アップリンク信号を受信することと、
前記チャネル符号化された制御情報およびチャネル符号化されたデータを生成するために前記アップリンク信号をチャネルデインターリーブすることと、
前記データを生成するために前記チャネル符号化されたデータをチャネル復号化することと
を行うようにさらに構成される、請求項１９に記載の装置。
【請求項２１】
前記チャネル品質制御情報は、チャネル品質情報（ＣＱＩ）およびプリコーディングマトリクスインジケータ（ＰＭＩ）のうちの少なくとも１つを含む、請求項１９に記載の装置。
【請求項２２】
前記チャネル品質制御情報のペイロードサイズは、前記チャネル品質制御情報に加えられたＣｙｃｌｉｃ  Ｒｅｄｕｎｄａｎｃｙ  Ｃｈｅｃｋ（ＣＲＣ）のサイズを含む、請求項１９に記載の装置。
【請求項２３】
前記プロセッサは、
同一の転送ブロックに対するパラメータと、同一の転送ブロックに対する初期ＰＵＳＣＨ送信のためのリソースとをメモリまたはキャッシュから取り出すようにさらに構成される、請求項１９に記載の装置。
【請求項２４】
前記アップリンク信号は、同一の転送ブロックに対する非初期ＰＵＳＣＨ送信を含む、請求項１９に記載の装置。